(57)【要約】【課題】不良ブロックをスキップする処理のため、最小記録単位に含まれる実効データ量が減少し、連続再生ができなくなる問題、ビットレートが小さい場合は必要以上に大きな記録単位が要求されるという問題を解決することにある。【解決手段】ディスク状記録媒体上に記録する動画および音声の最小記録単位を、データのビットレートおよびディスクの不良ブロック数あるいは不良ブロック率に応じて動的に変化させることにより、最適な最小記録単位で、連続再生を保証する。また動画の単独再生とアフレコ再生とで異なる最小記録単位を採用し、用途に応じて最小記録単位を選択する。【選択図】      図１
2004355674.tif 000002
【特許請求の範囲】
【請求項１】
ディスク状記録媒体上に記録する動画および音声の最小記録単位を、動画および音声のビットレートと、ディスクの不良ブロック数に応じて動的に変化させることを特徴とする動画記録再生方法。
【請求項２】
前記最小記録単位は、動画ファイル単独再生用の記録と、動画および音声ファイルを用いたアフレコ再生用の記録とで異なることを特徴とする請求項１に記載の動画記録再生方法。
【請求項３】
前記最小記録単位は、ヘッドのシーク時間をＴｊ、ディスクからデータを読み出す転送レートをＳｔ、動画の再生レートをＳｖ、最小記録単位に含まれる不良ブロックサイズをＤｖとすると、動画単独再生時の最小記録時間Ｔｖおよび最小記録サイズＬｖは、
【外１】
2004355674.tif 000033
で表されることを特徴とする請求項２に記載の動画記録再生方法。
【請求項４】
前記最小記録単位は、ヘッドのシーク時間をＴｊ、ディスクからデータを読み出す転送レートをＳｔ、動画の再生レートをＳｖ、音声の再生レートをＳａ、動画の最小記録単位に含まれる不良ブロックサイズをＤｖ、音声の最小記録単位に含まれる不良ブロックサイズをＤａ、とすると、動画ファイルと音声ファイルを用いたアフレコ再生時の動画最小記録時間Ｔｖ、音声最小記録時間Ｔａ、動画最小記録サイズＬｖ、音声最小記録サイズＬａは、
【外２】
2004355674.tif 000034
で表されることを特徴とする請求項２に記載の動画記録再生方法。
【請求項５】
ディスク状記録媒体上に記録する動画および音声の最小記録単位を、動画および音声のビットレートと、ディスクの不良ブロック率に応じて動的に変化させることを特徴とする動画記録再生方法。
【請求項６】
前記最小記録単位は、動画ファイル単独再生用の記録と、動画および音声ファイルを用いたアフレコ再生用の記録とで異なることを特徴とする請求項５に記載の動画記録再生方法。
【請求項７】
前記最小記録単位は、ヘッドのシーク時間をＴｊ、ディスクからデータを読み出す転送レートをＳｔ、動画の再生レートをＳｖ、最小記録単位に含まれる不良ブロック率をＲｄとすると、動画単独再生時の最小記録時間Ｔｖおよび最小記録サイズＬｖは、
【外３】
2004355674.tif 000035
で表されることを特徴とする請求項６に記載の動画記録再生方法。
【請求項８】
前記最小記録単位は、ヘッドのシーク時間をＴｊ、ディスクからデータを読み出す転送レートをＳｔ、動画の再生レートをＳｖ、音声の再生レートをＳａ、不良ブロック率をＲｄとすると、動画ファイルと音声ファイルを用いたアフレコ再生時の動画最小記録時間Ｔｖ、音声最小記録時間Ｔａ、動画最小記録サイズＬｖ、音声最小記録サイズＬａは、
【外４】
2004355674.tif 000036
で表されることを特徴とする請求項６に記載の動画記録再生方法。
【請求項９】
前記不良ブロックは、再生時に交代処理は行われず、スキップ処理で読み飛ばされることを特徴とする請求項２または６に記載の動画記録再生方法。
【請求項１０】
前記アフレコ再生は、動画ファイル内に含まれる音声データを、音声ファイル内に含まれる音声データで置き換えることにより実現されることを特徴とする請求項２または６に記載の動画記録再生方法。
【請求項１１】
ディスク状記録媒体上に動画及び音声を記録する記録手段と、前記記録手段により記録する動画および音声の最小記録単位を、動画および音声のビットレートと、ディスクの不良ブロック数に応じて動的に変化させる制御手段と、
を備えたことを特徴とする動画記録再生装置。
【請求項１２】
前記最小記録単位は、動画ファイル単独再生用の記録と、動画および音声ファイルを用いたアフレコ再生用の記録とで異なることを特徴とする請求項１１に記載の動画記録再生装置。
【請求項１３】
前記最小記録単位は、ヘッドのシーク時間をＴｊ、ディスクからデータを読み出す転送レートをＳｔ、動画の再生レートをＳｖ、最小記録単位に含まれる不良ブロックサイズをＤｖとすると、動画単独再生時の最小記録時間Ｔｖおよび最小記録サイズＬｖは、
【外５】
2004355674.tif 000037
で表されることを特徴とする請求項１２に記載の動画記録再生装置。
【請求項１４】
前記最小記録単位は、ヘッドのシーク時間をＴｊ、ディスクからデータを読み出す転送レートをＳｔ、動画の再生レートをＳｖ、音声の再生レートをＳａ、動画の最小記録単位に含まれる不良ブロックサイズをＤｖ、音声の最小記録単位に含まれる不良ブロックサイズをＤａ、とすると、動画ファイルと音声ファイルを用いたアフレコ再生時の動画最小記録時間Ｔｖ、音声最小記録時間Ｔａ、動画最小記録サイズＬｖ、音声最小記録サイズＬａは、
【外６】
2004355674.tif 000038
で表されることを特徴とする請求項１２に記載の動画記録再生装置。
【請求項１５】
ディスク状記録媒体上に動画及び音声を記録する記録手段と、前記記録手段によって記録する動画および音声の最小記録単位を、動画および音声のビットレートと、ディスクの不良ブロック率に応じて動的に変化させる制御手段と、
を備えたことを特徴とする動画記録再生装置。
【請求項１６】
前記最小記録単位は、動画ファイル単独再生用の記録と、動画および音声ファイルを用いたアフレコ再生用の記録とで異なることを特徴とする請求項１５に記載の動画記録再生装置。
【請求項１７】
前記最小記録単位は、ヘッドのシーク時間をＴｊ、ディスクからデータを読み出す転送レートをＳｔ、動画の再生レートをＳｖ、最小記録単位に含まれる不良ブロック率をＲｄとすると、動画単独再生時の最小記録時間Ｔｖおよび最小記録サイズＬｖは、
【外７】
2004355674.tif 000039
で表されることを特徴とする請求項１６に記載の動画記録再生装置。
【請求項１８】
前記最小記録単位は、ヘッドのシーク時間をＴｊ、ディスクからデータを読み出す転送レートをＳｔ、動画の再生レートをＳｖ、音声の再生レートをＳａ、不良ブロック率をＲｄとすると、動画ファイルと音声ファイルを用いたアフレコ再生時の動画最小記録時間Ｔｖ、音声最小記録時間Ｔａ、動画最小記録サイズＬｖ、音声最小記録サイズＬａは、
【外８】
2004355674.tif 000040
で表されることを特徴とする請求項１６に記載の動画記録再生装置。
【請求項１９】
前記不良ブロックは、再生時に交代処理は行われず、スキップ処理で読み飛ばされることを特徴とする請求項１２または１６に記載の動画記録再生方法。
【請求項２０】
前記アフレコ再生は、動画ファイル内に含まれる音声データを、音声ファイル内に含まれる音声データで置き換えることにより実現されることを特徴とする請求項１２または１６に記載の動画記録再生装置。
【発明の詳細な説明】
【０００１】
【発明の属する技術分野】
本発明は、ディスク状記録媒体への動画記録再生方法および装置に関するものである。
【０００２】
【従来の技術】
ディスク媒体上に動画や音声を記録する場合は、一般に連続して記録された一塊のストリームが複数の部分（エクステント）に分割されて、ディスク上の離れた領域に記録される。複数のエクステントに分割された動画や音声を再生するときには、データを再生するためにヘッドがエクステント間を移動する時間（シーク時間）が発生するので、エクステントサイズが小さい場合はデータの供給が追いつかず、連続再生ができない場合がある。そこで、従来は連続再生を保証するために、ストリームのビットレートや不良ブロック数に関係なく最小記録単位を定めていた。
【０００３】
【発明が解決しようとしている課題】
しかしながら、ディスクの品質が劣化して不良ブロックが多くなると、動画記録時は不良ブロックを飛ばす処理（スキップ処理）を行うため、最小記録単位に含まれる実効データ量が減少し、連続再生ができなくなるという問題があった。さらに、ストリームのビットレートが最大の場合を想定して最小記録単位が定められていたので、ビットレートが小さい場合は必要以上に大きな記録単位が要求されるという問題もあった。
【０００４】
【課題を解決するための手段】
本願は上記問題に鑑みなされたものであり、ディスク状記録媒体上に記録する動画および音声の最小記録単位を、データのビットレートおよびディスクの不良ブロック数に応じて動的に変化させるようにした動画記録再生方法及び装置を特徴とする。
【０００５】
また前記最小記録単位は、動画ファイル単独再生用の記録と、動画および音声ファイルを用いたアフレコ再生用の記録とで異なることを特徴とする。
【０００６】
また前記最小記録単位は、ヘッドのシーク時間をＴｊ、ディスクからデータを読み出す転送レートをＳｔ、動画の再生レートをＳｖ、最小記録単位に含まれる不良ブロックサイズをＤｖとすると、動画単独再生時の最小記録時間Ｔｖおよび最小記録サイズＬｖは、
【外９】
2004355674.tif 000003
【０００７】
で表されることを特徴とする。
【０００８】
また前記最小記録単位は、ヘッドのシーク時間をＴｊ、ディスクからデータを読み出す転送レートをＳｔ、動画の再生レートをＳｖ、音声の再生レートをＳａ、動画の最小記録単位に含まれる不良ブロックサイズをＤｖ、音声の最小記録単位に含まれる不良ブロックサイズをＤａ、とすると、動画ファイルと音声ファイルを用いたアフレコ再生時の動画最小記録時間Ｔｖ、音声最小記録時間Ｔａ、動画最小記録サイズＬｖ、音声最小記録サイズＬａは、
【外１０】
2004355674.tif 000004
【０００９】
で表されることを特徴とする。
【００１０】
またディスク状記録媒体上に記録する動画および音声の最小記録単位を、動画および音声のビットレートと、ディスクの不良ブロック率に応じて動的に変化させる動画記録再生方法及び装置を特徴とする。
【００１１】
また前記最小記録単位は、動画ファイル単独再生用の記録と、動画および音声ファイルを用いたアフレコ再生用の記録とで異なることを特徴とする。
【００１２】
また前記最小記録単位は、ヘッドのシーク時間をＴｊ、ディスクからデータを読み出す転送レートをＳｔ、動画の再生レートをＳｖ、最小記録単位に含まれる不良ブロック率をＲｄとすると、動画単独再生時の最小記録時間Ｔｖおよび最小記録サイズＬｖは、
【外１１】
2004355674.tif 000005
【００１３】
で表されることを特徴とする。
【００１４】
また前記最小記録単位は、ヘッドのシーク時間をＴｊ、ディスクからデータを読み出す転送レートをＳｔ、動画の再生レートをＳｖ、音声の再生レートをＳａ、不良ブロック率をＲｄとすると、動画ファイルと音声ファイルを用いたアフレコ再生時の動画最小記録時間Ｔｖ、音声最小記録時間Ｔａ、動画最小記録サイズＬｖ、音声最小記録サイズＬａは、
【外１２】
2004355674.tif 000006
【００１５】
で表されることを特徴とする。
【００１６】
【発明の実施の形態】
〔実施例１〕
以下図面を用いて、本発明の実施形態について詳細に説明する。図３は本発明をディスク記録再生装置に適用した場合の構成概略図である。同図において、１はアプリケーションプログラムで、ディスク媒体上へのファイルの記録再生や編集等をファイルシステムドライバ２に指示する。ファイルシステムドライバ２は、ディスク上の空き領域やファイルの記録位置を調べて、ディスクコントローラ３にディスク４に対するデータ読み書きの指示を与える。
【００１７】
このとき、アプリケーションプログラム１はデータのディスク上の記録位置を気にする必要はなく、ファイルシステムドライバ２がディスク上の空き領域を探して記録したり、データのディスク上の位置を検索して読み出したりする。
【００１８】
ディスクコントローラ３はディスク４上へ実際にデータを書き込んだり読み込んだりする。５はディスク４上に書き込まれた実際のデータであり、記録再生ヘッド６により読み書きが行われる。本実施形態においては、一つのファイルは連続した領域に記録されていても、異なる領域に分割されて記録された複数のデータであってもよく、ファイルの一部を成す連続領域に記録された一塊のデータをエクステントと呼ぶ。
【００１９】
（動画単独再生時のＣＤＡ：Ｃｏｎｔｉｎｕｏｕｓ  Ｄａｔａ  Ａｒｅａ）
図１は動画単独再生時の記録データと再生時間の関係を表す図であり、太線はデータの記録されている領域（エクステント）をヘッドが移動する時間、破線はヘッドがシークする時間を示している。細線は読み込んだデータを再生する時間である。
【００２０】
同図に示されているように、データはエクステントと呼ばれる塊に分割されて、ディスク上に分割記録されている。このとき、エクステントをまたがって連続再生する場合は、エクステント間でヘッドのシークが発生する。そのため、一つのエクステントから次のエクステントまで（図中の点線で囲まれた範囲）に存在する、エクステント内に記録されているデータの読み取り時間と次のデータまでのシーク時間を合わせた時間が、エクステント内のデータ再生時間よりも短い場合は動画が連続再生できなくなってしまう。そこで、データが途切れなく連続再生できる最小記録領域をＣＤＡ（Ｃｏｎｔｉｎｕｏｕｓ  Ｄａｔａ  Ａｒｅａ）と呼び、記録時にはＣＤＡ以上の空き領域に記録する必要がある。
【００２１】
以下、動画単独再生時のＣＤＡの求め方を、図１を用いて説明する。図１の太線部分は一つのエクステント内に含まれるデータを読み込む時間を示しており、再生時間Ｔｖ（秒）分の動画データが含まれている。再生時間Ｔｖの動画データは動画再生レートがＳｖ（ｂｐｓ）のとき、Ｓｖ×Ｔｖ（ビット）のサイズを持つ。エクステント内には不良ブロックも存在するので、不良ブロックのサイズがＤｖ（ビット）のとき、エクステントのサイズはＳｖ×Ｔｖ＋Ｄｖ（ビット）になる。
【００２２】
すなわち、ディスクからの転送レートがＳｔ（ｂｐｓ）だとすると、エクステント内のデータをディスクから読み込む時間は（Ｓｖ×Ｔｖ＋Ｄｖ）／Ｓｔ（秒）で表される（不良ブロックはスキップ処理で読み飛ばされる）。
【００２３】
そして次のエクステントにヘッドがたどり着くまでの時間（シーク時間）をＴｊ（秒）だとすると、動画を途切れなく連続して再生するには、一つのエクステントに含まれる動画の再生時間Ｔｖ（秒）の間に、データの読み込みとヘッドのシークが完了していなければならず、結局、以下の数式を満たせばよい。
【００２４】
【外１３】
2004355674.tif 000007
【００２５】
・・・（１）
上式より、
【外１４】
2004355674.tif 000008
【００２６】
・・・（２）
となり、ＣＤＡは、
【外１５】
2004355674.tif 000009
【００２７】
・・・（３）
となる。
【００２８】
ここで、Ｔｖは連続再生が保証される動画の最小記録時間（秒）で、Ｌｖは連続再生が保証される動画の最小記録サイズ（ビット）である。上記説明において時間の単位を「秒」、サイズの単位を「ビット」にしているが、これは説明をわかり易くしたもので、実際には単位は関係ない。
【００２９】
次に具体的な数値を当てはめた例を図４に示す。シーク時間Ｔｊ＝１．０ｓｅｃ、転送レートＳｔ＝２４Ｍｂｐｓ、動画再生レートＳｖ＝１２Ｍｂｐｓ、不良ブロックサイズＤｖ＝０ｂｉｔとすると、
【外１６】
2004355674.tif 000010
【００３０】
となり、不良ブロックがない場合は最低３．０ＭＢのエクステントサイズで記録すればよいことがわかる。
【００３１】
この例から条件を変えて計算してみると、もし動画再生レートがＳｖ＝６Ｍｂｐｓの場合は、
【外１７】
2004355674.tif 000011
【００３２】
となり、動画再生レートが１／２になると、最小記録時間が約２／３に、最小記録サイズが約１／３になることがわかる。なお、この変化量は転送レートや再生レートにより異なってくる。また、不良ブロックサイズがＤｖ＝３００ＫＢ（不良ブロック率が約１０％）だった場合は、
【外１８】
2004355674.tif 000012
【００３３】
となり、不良ブロック率が１割増加すると、最小記録時間が約１割、最小記録サイズが約２割増加することがわかる。
【００３４】
（アフレコ再生時のＣＤＡ）
次に、アフレコ再生時のＣＤＡに関して説明する。アフレコは動画と音声が別々のファイルとしてディスク上に記録されており、両方のファイルを同時に読み取りながら、動画に含まれる音声をアフレコ音声と置き換えることにより実施される。また、アフレコだけではなく、動画に含まれる音声チャンネルと別ファイルの音声チャンネルを合成して出力する場合も同じＣＤＡが適用される。
【００３５】
図２はアフレコ再生時の記録データと再生時間の関係を表す図であり、太線はデータの記録されている領域（エクステント）をヘッドが移動する時間、破線はヘッドがシークする時間を示している。細線は読み込んだデータを実際に再生する時間である。図に示されているように、データは動画、音声ともにエクステントに分割されてディスク上に分割記録されている。
【００３６】
このとき、エクステントをまたがって連続再生する場合は、エクステント間でヘッドのシークが発生する（シーク３）。またアフレコの場合は動画データ読み込み中に音声データを読み込むためのシークも発生する（シーク１，２）。
【００３７】
そのため、動画の一つのエクステントから次のエクステントまで（図中の点線で囲まれた範囲）に存在する、動画と音声のエクステント内に記録されているデータの読み取り時間と次のデータまでのシーク時間を合わせた時間が、エクステント内のデータ再生時間よりも短い場合はアフレコが連続再生できなくなってしまう。そこで、アフレコ時にもＣＤＡ（最小記録領域）を定める必要がある。
【００３８】
以下、アフレコ再生時のＣＤＡの求め方を、図２を用いて説明する。図２の太線部分は動画、音声とも一つのエクステント内に含まれるデータを読み込む時間を示しており、再生時間Ｔｖ（秒）分の動画データと、再生時間Ｔａ（秒）分の音声データとが含まれている。動画単独再生時と同様に、動画再生レートをＳｖ（ｂｐｓ）、音声再生レートをＳａ（ｂｐｓ）、動画エクステント内の不良ブロックサイズをＤｖ（ビット）、音声エクステント内の不良ブロックサイズをＤａ（ビット）、ディスクからの転送レートをＳｔ（ｂｐｓ）とすると、動画エクステント内のデータをディスクから読み込む時間は（Ｓｖ×Ｔｖ＋Ｄｖ）／Ｓｔ（秒）で、音声エクステント内のデータをディスクから読み込む時間は（Ｓａ×Ｔａ＋Ｄａ）／Ｓｔ（秒）となる（不良ブロックはスキップ処理で読み飛ばされる）。エクステント間をヘッドが移動する時間（シーク時間）をＴｊ（秒）だとすると、アフレコ再生を途切れなく連続して行うには、一つずつのエクステントに含まれる動画と音声の再生時間Ｔｖ、Ｔａ（秒）の間に、データの読み込みとヘッドのシークが完了していなければならず、結局、以下の数式を満たせばよい。
【００３９】
【外１９】
2004355674.tif 000013
【００４０】
・・・（４）
上式より、
【外２０】
2004355674.tif 000014
【００４１】
・・・（５）
となり（ＴｖとＴａの最小値は同じ）、ＣＤＡは、
【外２１】
2004355674.tif 000015
【００４２】
・・・（６）
となる。ここで、ＴｖおよびＴａは連続再生が保証される動画および音声の最小記録時間（秒）で、ＬｖおよびＬａは連続再生が保証される動画および音声の最小記録サイズ（ビット）である。この式より明らかなようにＴｖとＴａの最小値は同じである。ここでも説明において時間の単位を「秒」、サイズの単位を「ビット」にしているが、これは説明をわかり易くしたもので、実際には単位は関係ない。
【００４３】
次に具体的な数値を当てはめた例を図５に示す。シーク時間Ｔｊ＝１．０ｓｅｃ、転送レートＳｔ＝２４Ｍｂｐｓ、動画再生レートＳｖ＝１２Ｍｂｐｓ、音声再生レートＳａ＝２５６Ｋｂｐｓ、不良ブロックサイズＤｖ＝Ｄａ＝０ｂｉｔとすると、
【外２２】
2004355674.tif 000016
【００４４】
となり、不良ブロックがない場合は、動画が最低９．１９ＭＢ、音声が最低１９６ＫＢのエクステントサイズで記録すればよいことがわかる。この例から条件を変えて計算してみると、もし動画再生レートがＳｖ＝６Ｍｂｐｓの場合は、
【外２３】
2004355674.tif 000017
【００４５】
となり、動画単独再生時と同様に、動画再生レートが１／２になると、最小記録時間が約２／３に、動画の最小記録サイズが約１／３になることがわかる。音声はレートが変化していないので、最小記録サイズが約２／３になっている。なお、この変化量は転送レートや再生レートにより異なってくる。また、不良ブロックサイズがＤｖ＝９２０ＫＢ、Ｄａ＝２０ＫＢ（不良ブロック率が約１０％）だった場合は、
【外２４】
2004355674.tif 000018
【００４６】
となり、動画単独再生時と同様に、不良ブロック率が１割増加すると、最小記録時間が約１割、最小記録サイズが約２割増加することがわかる。
【００４７】
（実際のデータ記録サイズ）
実際の装置においては、最大シーク時間Ｔｊと転送レートＳｔは一定である。そこで、実際にデータを記録する場合には、動画および音声の再生レートと不良ブロックサイズによりＣＤＡサイズが決定される。通常は最悪の場合を考慮して、再生レートや不良ブロックサイズに関係なく、前もってＣＤＡサイズが決められる。
【００４８】
しかし、その場合は動画再生レートが小さい場合は必要以上に大きな記録領域が要求されるし、不良ブロック数が想定数以上になると、記録領域が必要サイズに満たなくなる恐れが出てくる。
【００４９】
そこで本発明では、図４や図５に示したように、記録時に動画と音声のビットレート、および不良ブロックサイズを考慮して動的にＣＤＡサイズが決められる。これにより、必要以上に大きな記録領域を要求したり、必要サイズに満たない領域に記録されたりすることなく、常に最適なＣＤＡ（最小記録領域）が得られる。なお、音声の再生レートは通常一定で、変化したとしても動画の再生レートに比べて十分に小さいのでＣＤＡの変化に与える影響は無視してもよい。
【００５０】
〔実施例２〕
次に本発明の第２の実施例について説明する。上述の第１の実施例は、ディスク媒体上に記録する動画および音声の最小記録単位を、動画および音声のビットレートとディスクの不良ブロック数に応じて動的に変化させるように構成した。
【００５１】
本第２の実施例は、ディスク媒体上に記録する動画および音声の最小記録単位を、動画および音声のビットレートとディスクの不良ブロック率に応じて動的に変化させるように構成したものである。
【００５２】
上記第１の実施例にて述べたように、動画単独再生時のＣＤＡの求め方は、図１で説明したように、あるエクステントから、次のエクステントにヘッドがたどり着くまでの時間（シーク時間）Ｔを考慮して動画を途切れなく連続して再生するには、一つのエクステントに含まれる動画の再生時間の間に、データの読み込みとヘッドのシークが完了していなければならないから、上記（１）式の関係を満たす必要がある。
【００５３】
上記（１）式において、単位領域あたりの不良ブロックの割合すなわち不良ブロック率Ｒｄを考えると、不良ブロック率Ｒｄ＝Ｄｖ／（Ｓｖ×Ｔｖ＋Ｄｖ）で示されるので、エクステント内の不良ブロックサイズＤｖは、
【外２５】
2004355674.tif 000019
【００５４】
・・・（７）
となる。式（７）を式（１）に代入すると、
【外２６】
2004355674.tif 000020
【００５５】
・・・（８）
となる。上式より、
【外２７】
2004355674.tif 000021
【００５６】
・・・（９）
となり、ＣＤＡは、
【外２８】
2004355674.tif 000022
【００５７】
・・・（１０）
となる。ここで、Ｔｖは連続再生が保証される動画の最小記録時間（秒）で、Ｌｖは連続再生が保証される動画の最小記録サイズ（ビット）である。上記説明において時間の単位を「秒」、サイズの単位を「ビット」にしているが、これは説明をわかり易くしたもので、変数や数式において単位は関係ない。
【００５８】
次に具体的な数値を当てはめた例を図６に示す。シーク時間Ｔｊ＝１．０ｓｅｃ、転送レートＳｔ＝２４Ｍｂｐｓ、動画再生レートＳｖ＝１２Ｍｂｐｓ、不良ブロック率Ｒｄ＝０とすると、
【外２９】
2004355674.tif 000023
【００５９】
となり、上記条件において、不良ブロックがない場合は最低３．０ＭＢのエクステントサイズで記録すればよいことがわかる。この例から条件を変えて計算してみると、もし動画再生レートがＳｖ＝６Ｍｂｐｓの場合は、
【外３０】
2004355674.tif 000024
【００６０】
となり、動画再生レートが１／２になると、最小記録時間が約２／３に、最小記録サイズが約１／３になることがわかる。なお、この変化量は転送レートや再生レートにより異なってくる。また、不良ブロック率がＲｄ＝１０％だった場合は、
【００６１】
【外３１】
2004355674.tif 000025
【００６２】
となり、不良ブロック率が１０％増加すると、最小記録時間が１２．５％、最小記録サイズが２５％増加することがわかる。
【００６３】
（アフレコ再生時のＣＤＡ）
次に、アフレコ再生時のＣＤＡに関して説明する。アフレコにおいても同様、上述の第１の実施例において、図２を用いて説明したように、あるエクステントから次のエクステントへとエクステント間をヘッドが移動する時間（シーク時間）を考慮すると、アフレコ再生を途切れなく連続して行うには、一つずつのエクステントに含まれる動画と音声の再生時間Ｔｖ、Ｔａ（秒）の間に、データの読み込みとヘッドのシークが完了していなければならず、上記（４）式の関係を満たしている必要がある。
【００６４】
ここで、不良ブロック率（単位領域あたりの不良ブロックの割合）Ｒｄは、Ｒｄ＝Ｄｖ／（Ｓｖ×Ｔｖ＋Ｄｖ）＝Ｄａ／（Ｓａ×Ｔａ＋Ｄａ）で示されるので、エクステント内の不良ブロックサイズＤｖ、Ｄａは、
【外３２】
2004355674.tif 000026
【００６５】
・・・（１１）
となる。式（１１）を式（４）に代入すると、
【外３３】
2004355674.tif 000027
【００６６】
・・・（１２）
となる。上式より、
【外３４】
2004355674.tif 000028
【００６７】
・・・（１３）
となり（ＴｖとＴａの最小値は同じ）、ＣＤＡは、
【外３５】
2004355674.tif 000029
【００６８】
・・・（１４）
となる。ここで、ＴｖおよびＴａは連続再生が保証される動画および音声の最小記録時間（秒）で、ＬｖおよびＬａは連続再生が保証される動画および音声の最小記録サイズ（ビット）である。式より明らかなようにＴｖとＴａの最小値は同じである。ここでも説明において時間の単位を「秒」、サイズの単位を「ビット」にしているが、これは説明をわかり易くしたもので、変数や数式において単位は関係ない。
【００６９】
次に具体的な数値を当てはめた例を図７に示す。第１の実施例との比較を容易にするため、同じデータを用いて説明する。シーク時間Ｔｊ＝１．０ｓｅｃ、転送レートＳｔ＝２４Ｍｂｐｓ、動画再生レートＳｖ＝１２Ｍｂｐｓ、音声再生レートＳａ＝２５６Ｋｂｐｓ、不良ブロック率Ｒｄ＝０とすると、
【外３６】
2004355674.tif 000030
【００７０】
となり、上記条件において、不良ブロックがない場合は、動画が最低９．１９ＭＢ、音声が最低１９６ＫＢのエクステントサイズで記録すればよいことがわかる。この例から条件を変えて計算してみると、もし動画再生レートがＳｖ＝６Ｍｂｐｓの場合は、
【外３７】
2004355674.tif 000031
【００７１】
となり、動画単独再生時と同様に、動画再生レートが１／２になると、最小記録時間が約２／３に、動画の最小記録サイズが約１／３になることがわかる。音声はレートが変化していないので、最小記録サイズが約２／３になっている。なお、この変化量は転送レートや再生レートにより異なってくる。また、不良ブロック率がＲｄ＝１０％だった場合は、
【外３８】
2004355674.tif 000032
【００７２】
となり、不良ブロック率が１０％増加すると、最小記録時間が１３％、最小記録サイズが２６％増加することがわかる。
【００７３】
（実際のデータ記録サイズ）
第１の実施例と同様に、実際の装置においては、最大シーク時間Ｔｊと転送レートＳｔは一定である。そこで、実際にデータを記録する場合には、動画および音声の再生レートと不良ブロック率によりＣＤＡサイズが決定される。通常は最悪の場合を考慮して、再生レートや不良ブロック率に関係なく、前もってＣＤＡサイズが決められる。
【００７４】
しかし、その場合は動画再生レートが小さい場合は必要以上に大きな記録領域が要求されるし、不良ブロック率が想定数以上になると、記録領域が必要サイズに満たなくなる恐れが出てくる。
【００７５】
そこで本発明では、図６や図７に示したように、記録時に動画と音声のビットレート、および不良ブロック率を考慮して動的にＣＤＡサイズが決められる。これにより、必要以上に大きな記録領域を要求したり、必要サイズに満たない領域に記録されたりすることなく、常に最適なＣＤＡ（最小記録領域）が得られる。なお、音声の再生レートは通常一定で、変化したとしても動画の再生レートに比べて十分に小さいのでＣＤＡの変化に与える影響は無視してもよい。
【００７６】
【発明の効果】
以上述べてきたように、本発明では、ディスク媒体上に記録する動画および音声の最小記録単位を、データのビットレートおよびディスクの不良ブロック数あるいは不良ブロック率に応じて動的に変化させることにより、最適な最小記録単位で、連続再生を保証する効果がある。また、動画の単独再生とアフレコ再生とで異なる最小記録単位を採用し、用途に応じて最小記録単位を選択できる。
【図面の簡単な説明】
【図１】動画単独再生時の記録データと再生時間の関係を示す図。
【図２】アフレコ再生時の記録データと再生時間の関係を示す図。
【図３】本発明の構成概略図。
【図４】本発明の第１の実施例における動画単独再生時のＣＤＡ計算例を示す図。
【図５】本発明の第１の実施例におけるアフレコ再生時のＣＤＡ計算例を示す図。
【図６】本発明の第２の実施例における動画単独再生時のＣＤＡ計算例を示す図。
【図７】本発明の第２の実施例におけるアフレコ再生時のＣＤＡ計算例を示す図。
【符号の説明】
１  アプリケーションプログラム
２  ファイルシステムドライバ
３  リード／ライトコントローラ
４  ディスク
５  データ
６  記録再生ヘッド
【図１】
2004355674.tif 000041
【図２】
2004355674.tif 000042
【図３】
2004355674.tif 000043
【図４】
2004355674.tif 000044
【図５】
2004355674.tif 000045
【図６】
2004355674.tif 000046
【図７】
2004355674.tif 000047